【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
画像読み取り機構を備える画像処理装置と、申請されたファイルを含む申請情報を記憶する記憶装置と通信可能な管理サーバであって、
前記申請情報に対する否認理由の種別を受け付ける受付手段と、
前記受付手段により受け付けた種別に従って、前記画像処理装置で画像の読み取りを実行するためのスキャンチケットを発行するか否かを決定する決定手段と、
前決定手段により、前記申請情報のスキャンチケットを発行すると決定された場合に、当該申請情報に対応するスキャンチケットを生成するスキャンチケット生成手段と
を備えることを特徴とする管理サーバ。
【請求項２】
前記否認理由の種別が、前記申請情報に含まれるファイルに対する否認を示す否認種別である場合に、前記スキャンチケット生成手段によりスキャンチケットを生成することを特徴とする請求項１に記載の管理サーバ。
【請求項３】
前記否認理由の種別が、ユーザの入力操作により申請画面で入力された情報に対する否認を示す否認種別である場合に、前記スキャンチケット生成手段によりスキャンチケットを生成することなく、前記申請情報の否認登録をする請求項１又は２に記載の管理サーバ。
【請求項４】
前記スキャンチケット生成手段により生成されたスキャンチケットに対応する情報の一覧を画像処理装置に送信する送信手段と、
前記画像処理装置で指定された情報に対応するスキャンチケットを用いたスキャンにより得られたファイルを、前記申請情報に対応付けるべく登録する登録手段と
を更に備えることを特徴とする請求項１乃至３のいずれか１項に記載の管理サーバ。
【請求項５】
前記否認理由の種別が、ファイルの差し替えを示す否認種別である場合に、前記申請情報に含まれるファイルの削除処理を実行する削除実行手段と
を更に備えることを特徴とする請求項１乃至４のいずれか１項に記載の管理サーバ。
【請求項６】
前記記憶装置は、前記管理サーバに備えることを特徴とする請求項１乃至５のいずれか１項に記載の管理サーバ。
【請求項７】
画像読み取り機構を備える画像処理装置と、クライアント装置から申請されたファイルを含む申請情報を記憶する記憶装置と、管理サーバを含む画像処理システムであって、
前記管理サーバは、
前記申請情報に対する否認理由の種別を受け付ける受付手段と、
前記受付手段により受け付けた種別に従って、前記画像処理装置で画像の読み取りを実行するためのスキャンチケットを発行するか否かを決定する決定手段と、
前決定手段により、前記申請情報のスキャンチケットを発行すると決定された場合に、当該申請情報に対応するスキャンチケットを生成するスキャンチケット生成手段と
を備え、
前記画像処理装置は、
前記スキャンチケットに基づいた前記画像読み取り機構による画像読み取り処理により得られたファイルを、所定の送信先に送信するファイル送信手段と
を備えることを特徴とする画像処理システム。
【請求項８】
画像読み取り機構を備える画像処理装置と、申請されたファイルを含む申請情報を記憶する記憶装置と通信可能な管理サーバの処理方法であって、
前記申請情報に対する否認理由の種別を受け付ける受付ステップと、
前記受付ステップで受け付けた種別に従って、前記画像処理装置で画像の読み取りを実行するためのスキャンチケットを発行するか否かを決定する決定ステップと、
前決定ステップで、前記申請情報のスキャンチケットを発行すると決定された場合に、当該申請情報に対応するスキャンチケットを生成するスキャンチケット生成ステップと
を含むことを特徴とする処理方法。
【請求項９】
画像読み取り機構を備える画像処理装置と、申請されたファイルを含む申請情報を記憶する記憶装置と通信可能な管理サーバのプログラムであって、
前記管理サーバを、
前記申請情報に対する否認理由の種別を受け付ける受付手段と、
前記受付手段により受け付けた種別に従って、前記画像処理装置で画像の読み取りを実行するためのスキャンチケットを発行するか否かを決定する決定手段と、
前決定手段により、前記申請情報のスキャンチケットを発行すると決定された場合に、当該申請情報に対応するスキャンチケットを生成するスキャンチケット生成手段
として機能させることを特徴とするプログラム。
【請求項１０】
画像読み取り機構を備える画像処理装置と、クライアント装置から申請されたファイルを含む申請情報を記憶する記憶装置と、管理サーバを含む画像処理システムの処理方法であって、
前記管理サーバが、
前記申請情報に対する否認理由の種別を受け付ける受付ステップと、
前記受付ステップで受け付けた種別に従って、前記画像処理装置で画像の読み取りを実行するためのスキャンチケットを発行するか否かを決定する決定ステップと、
前決定ステップで、前記申請情報のスキャンチケットを発行すると決定された場合に、当該申請情報に対応するスキャンチケットを生成するスキャンチケット生成ステップとを含み、
前記画像処理装置が、
前記スキャンチケットに基づいた前記画像読み取り機構による画像読み取り処理により得られたファイルを、所定の送信先に送信するファイル送信ステップと
を含むことを特徴とする処理方法。
【請求項１１】
画像読み取り機構を備える画像処理装置と、クライアント装置から申請されたファイルを含む申請情報を記憶する記憶装置と、管理サーバを含む画像処理システムのプログラムであって、
前記管理サーバを、
前記申請情報に対する否認理由の種別を受け付ける受付手段と、
前記受付手段により受け付けた種別に従って、前記画像処理装置で画像の読み取りを実行するためのスキャンチケットを発行するか否かを決定する決定手段と、
前決定手段により、前記申請情報のスキャンチケットを発行すると決定された場合に、当該申請情報に対応するスキャンチケットを生成するスキャンチケット生成手段として機能させ、
前記画像処理装置を、
前記スキャンチケットに基づいた前記画像読み取り機構による画像読み取り処理により得られたファイルを、所定の送信先に送信するファイル送信手段
として機能させることを特徴とするプログラム。
【手続補正２】
【補正対象書類名】明細書
【補正対象項目名】００１１
【補正方法】変更
【補正の内容】
【００１１】
そこで、本願発明は、否認された申請情報のファイルを容易に更新できる仕組みを提供することを目的とする。
【手続補正３】
【補正対象書類名】明細書
【補正対象項目名】００１２
【補正方法】変更
【補正の内容】
【００１２】
本発明は、画像読み取り機構を備える画像処理装置と、申請されたファイルを含む申請情報を記憶する記憶装置と通信可能な管理サーバであって、前記申請情報に対する否認理由の種別を受け付ける受付手段と、前記受付手段により受け付けた種別に従って、前記画像処理装置で画像の読み取りを実行するためのスキャンチケットを発行するか否かを決定する決定手段と、前決定手段により、前記申請情報のスキャンチケットを発行すると決定された場合に、当該申請情報に対応するスキャンチケットを生成するスキャンチケット生成手段とを備えることを特徴とする。
【手続補正４】
【補正対象書類名】明細書
【補正対象項目名】００１３
【補正方法】変更
【補正の内容】
【００１３】
本願発明によれば、否認された申請情報のファイルを容易に更新できる。